(57)【要約】【課題】  端末機から適切な位置の店舗情報と、レシピデータとを提供することができる料理レシピ提供システムを提供する。【解決手段】  車載機（端末機）１０からセンター２０に対してレシピデータの要求があった場合に、レシピ抽出部２２は車両の走行経路上の最も車両に近い店舗を店舗データベース２４から抽出し、さらに該店舗で扱う食材を用いたレシピデータをレシピデータベース２５から抽出する。これにより、自車両に最も近い適切な位置の店舗を抽出することができ、車両の乗員に適切な位置の店舗情報と、該店舗で扱う食材を利用したレシピデータとを提供することができる。【選択図】              図１
2005182699.tif 000002
【特許請求の範囲】
【請求項１】
端末通信部を備えた端末機とセンター通信部を備えたセンターとの間で通信を行い、前記端末機が前記センターより送信された料理のレシピデータをユーザに提示する料理レシピ提供システムにおいて、
前記端末機は、自位置を測定する位置測定部と、
前記センターから送信されたレシピデータと店舗情報とをユーザに提示する表示部とを備え、
前記センターは、料理のレシピデータが格納されたレシピデータベースと、
店舗が取り扱う食材と該店舗の位置情報とが店舗情報として格納された店舗データベースと、
前記端末機から送信された位置情報を格納する位置情報格納部と、
前記店舗データベースから店舗情報を抽出し、前記レシピデータベースからレシピデータを抽出するレシピ抽出手段とを備え、
前記レシピ抽出手段は、前記位置情報格納部に格納された位置情報にもとづいて前記店舗データベースから店舗情報を抽出し、該抽出した店舗で取り扱う食材を用いたレシピデータを前記レシピデータベースから抽出することを特徴とする料理レシピ提供システム。
【請求項２】
前記店舗データベースには、過去の履歴より算出した食材の平均価格と該食材の今日の価格とより算出した前記今日の価格の前記平均価格に対する下落率が格納され、
前記レシピ抽出手段は、前記下落率が高い食材を扱う店舗を抽出し、前記下落率が高い食材を用いたレシピデータを抽出することを特徴とする請求項１記載の料理レシピ提供システム。
【請求項３】
前記レシピ抽出手段は、前記下落率が高い食材が複数ある場合に、該下落率が高い食材を使用する分量が最も多いレシピデータを抽出することを特徴とする請求項２記載の料理レシピ提供システム。
【請求項４】
前記端末機は、目的地までの経路誘導を行うナビゲーション機能部を備え、
前記センターの位置情報格納部は、前記端末機より送信された前記目的地の情報を格納し、
前記レシピ抽出手段は、前記位置情報格納部に格納された目的地の情報にもとづいて前記店舗データベースから店舗情報を抽出することを特徴とする請求項１記載の料理レシピ提供システム。
【請求項５】
前記レシピ抽出手段は、前記位置情報格納部に格納された位置と、前記目的地の情報とより求まる経路上の店舗情報を前記店舗データベースから抽出することを特徴とする請求項４記載の料理レシピ提供システム。
【請求項６】
前記端末機は、ユーザがリクエストする食材情報を入力するための操作部を備え、
前記レシピ抽出手段は、前記端末機より送信されたユーザがリクエストした食材情報にもとづいて、該リクエストされた食材を扱う店舗を抽出し、さらに該リクエストされた食材と、前記抽出した店舗で取り扱う食材とを用いたレシピデータを前記レシピデータベースから抽出することを特徴とする請求項１記載の料理レシピ提供システム。
【請求項７】
前記端末機は、目的地までの経路誘導を行うナビゲーション機能部を備え、
該ナビゲーション機能部は前記センターより送信された店舗情報をもとに、該店舗を食材購入のための目的地として設定し、前記表示部を通じて経路誘導を行うことを特徴とする請求項１、２、３または６のいずれか１に記載の料理レシピ提供システム。
【請求項８】
前記ナビゲーション機能部は、前記センターより送信された店舗情報をもとに、該店舗を食材購入のための目的地として設定し、前記表示部を通じて経路誘導を行うことを特徴とする請求項４または５記載の料理レシピ提供システム。
【請求項９】
端末通信部を備えた端末機と通信を行うセンター通信部を備え、前記端末機にレシピデータを送信する料理提供システムにおけるセンターにおいて、
料理のレシピデータが格納されたレシピデータベースと、
店舗が取り扱う食材と該店舗の位置情報とが店舗情報として格納された店舗データベースと、
前記端末機から送信された位置情報を格納する位置情報格納部と、
前記店舗データベースから店舗情報を抽出し、前記レシピデータベースからレシピデータを抽出するレシピ抽出手段とを備え、
前記レシピ抽出手段は、前記位置情報格納部に格納された位置情報にもとづいて前記店舗データベースから店舗情報を抽出し、該抽出した店舗で取り扱う食材を用いたレシピデータを前記レシピデータベースから抽出することを特徴とする料理レシピ提供システムにおけるセンター。
【請求項１０】
端末機通信部を備えた端末機とセンター通信部を備えたセンターとの間で通信を行い、前記端末機が前記センターより送信されたレシピデータをユーザに提示する料理レシピ提供方法において、
前記センターは、
料理のレシピデータを格納する処理と、
店舗が取り扱う食材と該店舗の位置情報とを店舗情報として格納する処理と、
前記端末機から送信された位置情報を格納する処理と、
前記店舗データベースから店舗情報を抽出し、前記レシピデータベースからレシピデータを抽出する処理と、
前記格納された位置情報にもとづいて店舗情報を抽出し、
該抽出した店舗で取り扱う食材を用いたレシピデータを前記レシピデータベースから抽出し、
前記端末機へ送信することを特徴とする料理レシピ提供方法。
【発明の詳細な説明】
【技術分野】
【０００１】
本発明は、料理のレシピデータを提供する料理レシピ提供システムに関する。
【背景技術】
【０００２】
従来、料理のレシピデータを提供するシステムとして、特許文献１には、ユーザからセンターに対してレシピデータの要求があった場合にセンター側でレシピデータと、該レシピデータの食材を取り扱う店舗情報とを抽出し、ユーザにレシピデータと店舗情報とを提供するといった構成が開示されている。
【特許文献１】特開２００１−９２７４３号公報
【発明の開示】
【発明が解決しようとする課題】
【０００３】
しかしながらこのような従来のレシピデータを提供するシステムにおいては、本システムを車両に適用する場合に、車両の現在位置が変化するため自車両から適切な位置の店舗情報と、レシピデータとを提供することが困難であった。
【０００４】
そこで本発明はこのような問題点に鑑み、適切な位置の店舗情報と、レシピデータとを提供することができる料理レシピ提供システムを提供することを目的とする。
【課題を解決するための手段】
【０００５】
本発明は、端末機が、自位置を測定する位置測定部と、レシピデータと店舗情報とをユーザに提示する表示部と、センターと通信を行う端末通信部とを備え、センターは、料理のレシピデータが格納されたレシピデータベースと、店舗が取り扱う食材と該店舗の位置情報とが店舗情報として格納された店舗データベースと、端末機から送信された位置情報を格納する位置情報格納部と、店舗データベースから店舗情報を抽出し、レシピデータベースからレシピデータを抽出するレシピ抽出手段と、端末機と通信を行うセンター通信部とを備え、レシピ抽出手段は、位置情報格納部に格納された位置情報にもとづいて店舗データベースから店舗情報を抽出し、該抽出した店舗で取り扱う食材を用いたレシピデータをレシピデータベースから抽出するものとした。
【発明の効果】
【０００６】
本発明によれば、レシピ抽出手段は、位置情報にもとづいて店舗データベースから店舗情報を抽出し、該抽出した店舗で取り扱う食材を用いたレシピデータをレシピデータベースから抽出するので、端末機に最も近い適切な位置の店舗を抽出することができる。よって本システムを車両に適用した場合には、車両の乗員に適切な位置の店舗情報と、該店舗で扱う食材を利用したレシピデータとを提供することができる。
【発明を実施するための最良の形態】
【０００７】
次に本発明の実施の形態を実施例により説明する。
図１に料理レシピ提供システムの全体構成を示す。
以下、本システムを車両に適用した場合について説明する。
車両に搭載された車載機（端末機）１０と、外部に設置されたセンター２０とより料理レシピ提供システム１が構成される。
車載機１０は、図示しないＧＰＳ受信機を用いて車両の現在位置を検出する位置測定部１２と、各種の入力操作を受け付ける操作部１３と、センター２０と通信を行うための車載通信部１１と、車両の経路誘導等を行うナビゲーション機能部１５と、情報の表示を行う表示部１４と、各部の制御を行う制御部１６とを備える。
【０００８】
センター２０は、車載機１０と通信を行うセンター通信部２１と、車載機１０より送信された車両の現在位置を格納する位置情報格納部２３と、店舗情報が格納された店舗データベース２４と、各種のレシピが格納されたレシピデータベース２５とを備える。
さらにセンター２０は、位置情報格納部２３、店舗データベース２４およびレシピデータベース２５に格納された各種の情報をもとにレシピを抽出するレシピ抽出部２２を備える。
【０００９】
店舗データベース２４に格納されている店舗情報として、たとえば図２に示すように、店舗名称、店舗位置、取り扱っている食材名、食材の今日の価格、過去の履歴より算出した食材の平均価格とその食材の今日の価格とより算出した今日の価格の平均価格に対する下落率があり、この店舗情報が各店舗ごとに分けて格納されている。
なお店舗データベース２４に格納された店舗情報は、各店舗が逐次、取り扱っている食材や今日の価格をセンター２０に送信することによって更新される。
【００１０】
次に図３、４のフローチャートを用いて、料理レシピ提供システムで行う処理の流れを示す。
車両の乗員によって操作部１３が操作されてレシピデータの要求指示がされると、ステップ１００において制御部１６は、車載通信部１１を通じてレシピデータ要求信号をセンター２０に送信する。
【００１１】
なおレシピデータ要求信号を送信する際に、制御部１６は位置測定部１２によって検出された車両の現在位置と、車両を識別するための車両ＩＤとを送信する。
この車両ＩＤは、センター２０が情報を送信する際に車載機１０を識別するために用いられる。
さらに本実施例において、ナビゲーション機能部１５にはあらかじめ車両の目的地が設定されており、レシピデータ要求信号を送信する際にナビゲーション機能部１５に設定された目的地の位置情報も送信する。
【００１２】
また制御部１６は、レシピデータを抽出する際のリクエスト条件が入力されている場合には、レシピデータ要求信号送信時にリクエスト条件もセンター２０に送信する。
乗員は希望する食材がある場合に、レシピデータの要求指示と同時に希望する食材名を食材優先のリクエスト条件として入力する。また乗員が目的地付近の店舗で食材を購入したい場合には、場所優先の旨のリクエスト条件を入力し、さらに乗員が食材の下落率が高く価格の安い食材を用いたレシピデータを希望する場合には、価格優先の旨のリクエスト条件を入力する。
【００１３】
ステップ１０１において、センター２０のセンター通信部２１がレシピデータ要求信号を受信し、レシピ抽出部２２は受信した車両の現在位置を示す位置情報と、目的地情報とを位置情報格納部２３に格納する。
ステップ１０２において、レシピ抽出部２２はセンター通信部２１が受信したレシピデータ要求信号にリクエスト条件が付加されているかどうかを判断し、リクエスト条件が付加されている場合にはステップ１０９へ進み、リクエスト条件が付加されていない場合にはステップ１０３へ進む。
【００１４】
ステップ１０３において、車両の現在位置と目的地とより車両の走行経路を算出し、該走行経路上の店舗より車両に最も近い店舗を抽出する。
ステップ１０４において、レシピ抽出部２２は抽出した店舗の店舗情報より、該店舗で取り扱う食材を抽出する。
ステップ１０５において、レシピ抽出部２２はステップ１０４で抽出した食材を用いたレシピデータをレシピデータベース２５から抽出する。
ステップ１０６において、センター通信部２１はレシピ抽出部２２が抽出したレシピデータと店舗の位置情報とを車載機１０へ送信する。
【００１５】
ステップ１０７において、車載機１０の車載通信部１１はレシピデータと店舗の位置情報を受信する。
ステップ１０８において、表示部１４は車載通信部１１が受信したレシピデータを表示し、さらに食材を販売している店舗の位置情報を表示する。
これによって車両の乗員は、レシピデータと、レシピデータに記載された料理を作る際に必要な食材を扱う店舗を知ることができる。
【００１６】
一方ステップ１０２において、リクエスト条件が付加されていると判断された場合には、ステップ１０９においてリクエスト条件の判別を行う。
リクエスト条件が食材優先の場合にはステップ１１０へ進み、リクエスト条件が場所優先の場合にはステップ１１３へ進む。またリクエスト条件が価格優先の場合にはステップ１１６へ進む。
【００１７】
ステップ１１０において、レシピ抽出部２２はリクエストされた食材を扱う店舗をデータベース２４から抽出する。
ステップ１１１において、レシピ抽出部２２は抽出した店舗の店舗情報より、該店舗で取り扱う食材を抽出する。
ステップ１１２において、レシピ抽出部２２はリクエスト条件としてリクエストされた食材と、ステップ１１１で抽出した食材とを用いたレシピデータをレシピデータベース２５から抽出する。
その後、ステップ１０６において、センター通信部２１はレシピ抽出部２２が抽出したレシピデータと店舗の位置情報とを車載機１０へ送信する。
【００１８】
またステップ１０９でリクエスト条件が場所優先であると判断された場合には、ステップ１１３においてレシピ抽出部２２は位置情報格納部２３に格納された目的地周辺の店舗を店舗データベース２４から抽出する。
ステップ１１４において、レシピ抽出部２２は抽出した店舗の店舗情報より、該店舗で取り扱う食材を抽出する。
【００１９】
ステップ１１５において、レシピ抽出部２２はステップ１１４で抽出した食材を用いたレシピデータをレシピデータベース２５から抽出する。
その後、ステップ１０６において、センター通信部２１はレシピ抽出部２２が抽出したレシピデータと店舗の位置情報を車載機１０へ送信する。
【００２０】
さらにステップ１０９において、リクエスト条件が価格優先であると判断された場合には、ステップ１１６においてレシピ抽出部２２は店舗データベース２４に記憶された店舗情報をもとに下落率の高い食材と、該下落率の高い食材を扱う店舗を抽出する。
ステップ１１７において、レシピ抽出部２２は抽出した店舗の店舗情報より、該店舗で取り扱う食材を抽出する。
【００２１】
ステップ１１８において、レシピ抽出部２２はステップ１１６で抽出した下落率の高い食材と、ステップ１１７で抽出した食材とを用いたレシピデータをレシピデータベース２５から抽出する。
その後、ステップ１０６において、センター通信部２１はレシピ抽出部２２が抽出したレシピデータと店舗の位置情報を車載機１０へ送信する。
なお本実施例において、ステップ１０２〜１０５、ステップ１０９〜１１８が本発明におけるレシピ抽出手段を構成する。また車載機１０が本発明における端末機を構成し、車載通信部１１が本発明における端末通信部を構成する。
【００２２】
本実施例は以上のように構成され、車載機１０からセンター２０に対してレシピデータの要求があった場合に、リクエスト条件がない場合にはレシピ抽出部２２は車両の走行経路上の最も車両に近い店舗を店舗データベース２４から抽出し、さらに該店舗で扱う食材を用いたレシピデータをレシピデータベース２５から抽出する。
これにより、自車両に最も近い適切な位置の店舗を抽出することができ、車両の乗員に適切な位置の店舗情報と、該店舗で扱う食材を利用したレシピデータとを提供することができる。
【００２３】
またリクエスト条件が食材優先である場合には、レシピ抽出部２２は乗員によってリクエストされた食材を扱う店舗を抽出し、該店舗で扱う食材を用いたレシピデータを抽出する。
これにより乗員のリクエストした食材を用いたレシピデータと店舗情報とを提供することができる。
【００２４】
さらにリクエスト条件が場所優先である場合には、レシピ抽出部２２はナビゲーション機能部１５に設定された目的地周辺の店舗を抽出し、該店舗で扱う食材を用いたレシピデータを抽出する。
これにより乗員の希望する地域の店舗情報と、該店舗で扱う食材を用いたレシピデータとを提供することができる。
【００２５】
あるいはリクエストされた条件が価格優先である場合には、レシピ抽出部２２は店舗データベース２４に格納された食材の下落率が高い食材を扱う店舗を抽出し、該下落率の高い食材と該抽出した店舗が扱う食材とを用いたレシピデータを抽出する。
これにより、車両の乗員に下落率が高く価格の安い食材を用いたレシピデータと、該抽出した店舗の位置情報とを提供することができる。
【００２６】
なおナビゲーション機能部１５は、ステップ１０７において車載通信部１１が受信した店舗の位置情報をもとに、該店舗を食材購入のための目的地として設定し、表示部１４がレシピデータなどを表示した後、表示部１４を通じて食材購入を行う店舗までの経路誘導を行うこともできる。
よって車両の乗員は道に迷うことなく、食材購入のための店舗へ行くことができる。
【００２７】
またリクエスト条件が価格優先であり最も下落率が高い食材が複数ある場合には、レシピ抽出部２２はこの下落率が高い食材を用いるレシピデータのうち、下落率が高い食材を最も多量に用いるレシピデータを抽出する。
このように、下落率の高い食材を最も多く用いるレシピデータを抽出するので、より割安感のあるレシピデータを車両の乗員に提供することができる。
【００２８】
さらに、場所優先のリクエスト条件としてナビゲーション機能部１５に設定された目的地情報を用いるものとしたが、これ以外にも車両の乗員が操作部１３を操作することによって入力した場所情報を用いてもよい。
なお、車載機１０はＧＰＳ付き携帯端末であってもよい。
【図面の簡単な説明】
【００２９】
【図１】本実施例の全体構成を示す図である。
【図２】店舗情報を示す図である。
【図３】料理レシピ提供システムが行う処理の流れを示す図である。
【図４】料理レシピ提供システムが行う処理の流れを示す図である。
【符号の説明】
【００３０】
１    料理レシピ提供システム
１０    車載機
１１    車載通信部
１２    位置測定部
１３    操作部
１４    表示部
１５    ナビゲーション機能部
１６    制御部
２０    センター
２１    センター通信部
２２    レシピ抽出部
２３    位置情報格納部
２４    店舗データベース
２５    レシピデータベース
【図１】
2005182699.tif 000003
【図２】
2005182699.tif 000004
【図３】
2005182699.tif 000005
【図４】
2005182699.tif 000006